(57)【要約】【課題】  蓋体の開け閉めが容易で、しかも不用意に蓋体が外れることがない安全性の高い圧力容器の密閉構造を提供する。【解決手段】  開口部にフランジを形成した容器本体と、前記フランジの下部側に係合可能に出入する可動爪を少なくとも二組一対に設けた蓋体とからなる。可動爪は、蓋体の周壁に周方向に設けた長孔と、該長孔内に一端が半径方向に往復動可能に軸止され、前記一端に容器本体のフランジの下部側に係合可能な爪を設けると共に、他端に接続片を設けてなるロック部と、蓋体の周壁外面に周方向にスライド可能に設けられ、前記ロック部と接続片を介して接続される操作部とからなる。また、可動爪は、容器本体のフランジの下部側に係合可能な爪を設けたロック部を蓋体の天盤に上下方向に回動可能に設けてなる。さらに、可動爪は、蓋体の周壁に雌ねじを設けると共に、前記雌ねじに螺合して先端が容器本体のフランジと係合するボルトからなる。【選択図】          図２
2006177409.tif 000002
【特許請求の範囲】
【請求項１】
開口部にフランジを形成した容器本体と、前記フランジの下部側に係合可能に出入する可動爪を少なくとも二組一対に設けた蓋体とからなることを特徴とした圧力容器の密閉構造。
【請求項２】
可動爪は、蓋体の周壁に周方向に設けた長孔と、該長孔内に一端が半径方向に往復動可能に軸止され、前記一端に容器本体のフランジの下部側に係合可能な爪を設けると共に、他端に接続片を設けてなるロック部と、蓋体の周壁外面に周方向にスライド可能に設けられ、前記ロック部と接続片を介して接続される操作部とからなる請求項１記載の圧力容器の密閉構造。
【請求項３】
可動爪は、蓋体の周壁外面に周方向にスライド可能に設けた操作部と、前記周壁に周方向の長孔を形成すると共に、該長孔に前記操作部のスライド時に先端に設けた爪が半径方向に可動して容器本体のフランジ下部側に係合するように後端を枢支してなるロック部とからなる請求項１記載の圧力容器の密閉構造。
【請求項４】
可動爪は、容器本体のフランジの下部側に係合可能な爪を設けたロック部を蓋体の天盤に上下方向に回動可能に設けてなる請求項１記載の圧力容器の密閉構造。
【請求項５】
可動爪は、蓋体の周壁に雌ねじを設けると共に、前記雌ねじに螺合して先端が容器本体のフランジの下部側に係合するボルトからなる請求項１記載の圧力容器の密閉構造。
【請求項６】
雌ねじとボルトの螺合構造は三条ネジからなる請求項５記載の圧力容器の密閉構造。
【請求項７】
容器本体のフランジの少なくとも二箇所に切欠きを設けると共に、蓋体の天盤内側に前記切欠きと係合する突片を設けた請求項１から６のうち何れか一項記載の圧力容器の密閉構造。
【発明の詳細な説明】
【技術分野】
【０００１】
この発明は、ビールサーバの洗浄樽に代表される圧力容器の密閉構造に関するものである。
【背景技術】
【０００２】
本発明の適用例としてはビールサーバの洗浄樽がある。この洗浄樽は、例えば特許文献１に説明されるように、ビールタンク（ビール樽）と繋ぎ代えて、炭酸ガスボンベの圧力により充填された洗浄液としての水をビールサーバに高圧で送り込み、サーバ内部の各種配管およびノズルを洗浄するものである。その基本的な構造は、アルミ等の金属からなる容器本体と、ビールサーバおよび炭酸ガスボンベに配管接続可能な接続口、さらに使用後の内圧を逃すためのガス抜き弁を設けた蓋体とからなる。
【０００３】
【特許文献１】特開２００３−１６０１９８の図１
【発明の開示】
【発明が解決しようとする課題】
【０００４】
ところで、従来の洗浄樽は、蓋体を容器本体に対して高圧環境下で密閉可能に取付けるための構造として、蓋体を一定範囲で回動するようにして開け閉めを行うようにしている。具体的には、容器本体の開口にフランジが設けられ、さらに前記フランジの二箇所に切欠きが形成される一方、蓋体の周壁内面には前記切欠きに対応する爪が形成されており、爪を切欠きと一致させることで蓋体の取付けおよび取り外しができ、取り付け後は蓋体を回転させることで爪がフランジの下部側に係合することによって蓋体が固定され容器本体を密閉するものである。
【０００５】
しかしながら、上述した密閉構造であると、洗浄液（水等）の補充時等における蓋体の開け閉めの際、蓋体を回転しなければならず、面倒である。また、蓋体は手動で容易に回るものであり、なんらかの拍子で蓋体が回転すれば、不用意に爪と切欠きが一致して蓋体が外れる危険性もある。特に、洗浄中の高圧状態で蓋体が外れることは非常に危険である。
【０００６】
本発明は、こうした課題を解決するためになされたもので、その目的とするところは、蓋体の開け閉めが容易で、しかも不用意に蓋体が外れることがない安全性の高い圧力容器の密閉構造を提供することである。
【課題を解決するための手段】
【０００７】
上述した目的を達成するために本発明では、開口部にフランジを形成した容器本体と、前記フランジと係合可能に出入する可動爪を少なくとも二組一対に設けた蓋体とから圧力容器の密閉構造を構成するという手段を採用する。当該手段を採用する本発明では、可動爪を出入させることで当該爪とフランジとの係合（ロック）が発揮・解除され、蓋体を容器本体の開口部に密閉可能に脱着することができる。この際、蓋体を一切回転する必要がない。なお、本発明はビールサーバの洗浄樽だけでなく、他の圧力容器にも適用することが可能である。
【０００８】
可動爪の具体的な第一の手段として、蓋体の周壁に周方向に設けた長孔と、該長孔内に一端が半径方向に往復動可能に軸止され、前記一端に容器本体のフランジの下部側に係合可能な爪を設けると共に、他端に接続片を設けてなるロック部と、蓋体の周壁外面に周方向にスライド可能に設けられ、前記ロック部と接続片を介して接続される操作部とから可動爪を構成するという手段を採用する。この手段は言い換えれば、可動爪は、蓋体の周壁外面に周方向にスライド可能に設けた操作部と、前記周壁に周方向の長孔を形成すると共に、該長孔に前記操作部のスライド時に先端に設けた爪が半径方向に可動して容器本体のフランジ下部側に係合するように後端を枢支してなるロック部とから可動爪を構成するものと言うことができる。つまり、当該手段では操作部をスライドさせることによって、接続片を介してロック部を半径方向に往復動させ、その一端に設けた爪が容器本体のフランジと係脱可能に出入するものである。
【０００９】
また、可動爪を具体的に構成する第二の手段として、容器本体のフランジの下部側に係合可能な爪を設けたロック部を蓋体の天盤に上下方向に回動可能に設けるという手段を採用する。つまり、当該手段では爪が上下方向に回動するものである。
【００１０】
さらに、可動爪の具体的な第三の手段として、蓋体の周壁に雌ねじを設けると共に、前記雌ねじに螺合して先端が容器本体のフランジの下部側に係合するボルトによって可動爪を構成するという手段を用いる。つまり、当該手段においてはネジ作用によってボルトが半径方向に進退するものである。なお、この手段においては、少ない回転数でボルトを操作するため、ネジを三条ネジにより構成することが好ましい。
【００１１】
さらに、上記何れかの手段において、本発明では、容器本体のフランジの少なくとも二箇所に切欠きを設けると共に、蓋体の天盤内側に前記切欠きと係合する突片を設けることで、蓋体を取付ける際の位置決めとして作用する。また、切欠きと突片が係合することによって、蓋体の不用意な回転も防止される。
【発明の効果】
【００１２】
以上説明した本発明によれば、可動爪によって蓋体を容器本体に脱着するため、その取り外しの際、蓋体を回転させる手間が省ける。また、脱着に際して蓋体を回転させることがないため、不用意な回転により蓋体が外れることなく、安全である。
【発明を実施するための最良の形態】
【００１３】
以下、本発明の好ましい実施の形態を添付した図面に従って説明する。先ず、本発明は図１に示すように、耐圧性のある容器本体１と蓋体２とからなり、容器本体１の開口部１ａにはフランジ１ｂが形成されていることを前提とする。なお、この圧力容器が洗浄樽である場合、蓋体２にはビールサーバや炭酸ガスボンベとの接続配管やガス抜き弁が設けられることになるが、当該構成は従来と変わるところがないため、詳細な説明は省略する。
【００１４】
図２、図３は本発明の第一実施形態を示したもので、蓋体２には容器本体１のフランジ１ｂの下部側に係合可能な可動爪３が設けられている。この実施形態における可動爪３は、蓋体２の周壁２ａ外面の二箇所に周方向にスライド可能に設けた操作部４と該操作部４のスライド動作により半径方向に回動するロック部５とからなる。操作部４は、円弧状部材４ａの外面側にツマミ４ｂを突設すると共に、内面側には周壁２ａ内部に設けたスライド溝２ｂに沿って移動可能な移動軸４ｃを備えてなる。さらに、円弧状部材４ａの前方には、接続口４ｄが形成されている。一方、ロック部５は、円弧状部材５ａの先端に内方向に膨成する爪５ｂを有すると共に、後端に操作部４の接続口４ｄに係合する接続片５ｃが突設されている。該ロック部５は、蓋体２の周壁２ａに形成された長孔６に収容されると共に、後端を軸ピン７により枢支することで、先端爪５ｂが長孔６を介して半径方向に出入するように構成されている。
【００１５】
上記構成により第一実施形態の密閉構造によれば、操作部４をスライドさせることにより、接続口４ｄのエッジが接続片５ｃを内向きの力を作用し、この結果、ロック部５は軸ピン７を回動軸として外向きに回動し、爪５ｂとフランジ１ｂとの係合が解除され、蓋体２を取り外すことができる（図２の特に左側を参照）。一方、この状態から、操作部４を反対側にスライドさせれば、操作部４の接続口４ｄを形成した一端がロック部５の外側周面５ｄを内向きに押し、結果、ロック部５は内向きに回動して、爪５ｂがフランジ１ｂと係合した状態になる（図２の特に右側を参照）。ここで説明した解除状態から係合状態への移行は、操作部４をスライドさせる行為だけでなく、ロック部５を指で内向きに押す行為によっても実現できる場合がある。このとき、ロック部５の回動に連動して操作部４も解除位置から係合位置までスライドすることはもちろんである。このように操作部４をスライドさせることにより、ロック部５の先端爪５ｂが半径方向に移動して、容器本体１のフランジ１ｂと係脱するから蓋体２を脱着することができる。
【００１６】
なお、この実施形態においてロック部５は、図２から明らかなように、その外側周面５ｄを蓋体２の周壁と同じ曲率に成形して、フランジ１ｂとの係合時に両者の外形を一致させている。さらに、この実施形態では、操作部４の先端内側４ｅも前記曲率に成形してる。当該構造により、操作部４をスライドして、図２の左側に示したように、ロック部５をフランジ１ｂとの係合状態から解除する際、操作部４の前記先端内側４ｅがロック部５の外側周面５ｄと合致することによって、当該解除状態が達成され、しかもこの状態に保持される。つまり、上述した要領で、操作部４の接続口４ｄとロック部５の接続片５ｃとの干渉による解除への移行中、操作部４の先端も徐々に外向きに開くロック部５の外側周面５ｄと干渉することになるが、操作部４を最大にスライドさせたときに、その先端内側４ｅがロック部５の外側周面５ｄと合致することによって、当該解除状態を保持（ロック）することができるのである。
【００１７】
図４、図５は本発明の第二実施形態を示したものである。容器本体１の構造は図１に示したもの、第一実施形態のものと変わるところはない。これに対して、この実施形態における可動爪３は、蓋体１０の天盤１０ａの二箇所を半径方向に一部切欠き、該切欠き１０ｂに設けた水平ピン１１により上下方向に回動可能に設けている。また、可動爪３の内面には容器本体１のフランジ１ｂと係合可能な爪１２が形成されると共に、外面下方を膨成して可動爪３を操作する際の指の引っ掛かり部１３としている。なお、当該形態においては、可動爪３が不用意に回動しないように、水平ピン１１により枢支されるヒンジ部１４と爪１２とで容器本体１のフランジ１ｂを密に挟持するように、各部の大きさや形状を設定することが好ましい。
【００１８】
図６、図７は本発明の第三の実施形態を示したものであり、当該実施形態においても容器本体１の変更はない。一方、この第三実施形態における可動爪３は、蓋体２０の周壁の二箇所に雌ねじ２１を形成すると共に、該雌ねじ２１に螺合するボルト２３からなる。雌ねじ２１とのネジ作用によりボルト２３を進退させ、その先端を容器本体１のフランジ１ｂと係合するものであるが、さらに本実施形態では、利便性等を高めるため、次のような具体的構成を採用する。即ち、この実施形態ではボルト２３と雌ねじ２１の螺合構造を三条ネジとすることで、少ない回転数でボルト２３の進退動作を可能としている。また、ボルト２３の頭２４にはガイドバー２５が設けられると共に、蓋体２０の周壁２１には前記ガイドバー２５と干渉するガイドピン２６が設けられている。当該構成により、ボルト２３の回転は、ガイドバー２５がガイドピン２６と干渉する位置で規制され、それ以上の回転を防止することで、ボルト２３の不用意な抜けを防止して、安全性を高めている。
【００１９】
図８は、上述した三つの何れの実施形態にも共通する変更例を示したものである。即ち、当該変更例では、容器本体１のフランジ１ｂの二箇所に切欠き３０を設けると共に、蓋体４０の内面二箇所に前記切欠き３０と合致する突片４１を形成している。この構造により、突片４１と切欠き３０は蓋体４０を取付ける際の位置決めとして作用すると共に、取り付け後においては蓋体４０の不用意な回転を防止するものである。
【００２０】
なお、上述した何れの実施形態でも、可動爪３を蓋体の二箇所に設けることとしたが、本発明においては三箇所以上であってもよい。
【図面の簡単な説明】
【００２１】
【図１】本発明を構成する容器本体と蓋体の概略斜視図
【図２】本発明の第一実施形態に係る密閉構造の一部を切欠した平面図
【図３】同、側面図
【図４】本発明の第二実施形態に係る密閉構造の平面図
【図５】同、断面図
【図６】本発明の第三実施形態に係る密閉構造の平面図
【図７】同、断面図
【図８】各実施形態に共通する密閉構造の変更例を示した概略斜視図
【符号の説明】
【００２２】
１  容器本体
１ｂ  フランジ
３  可動爪
【図１】
2006177409.tif 000003
【図２】
2006177409.tif 000004
【図３】
2006177409.tif 000005
【図４】
2006177409.tif 000006
【図５】
2006177409.tif 000007
【図６】
2006177409.tif 000008
【図７】
2006177409.tif 000009
【図８】
2006177409.tif 000010